(57)【特許請求の範囲】
【請求項１】
シリンダと、プランジャとを備え、該シリンダ内の装填物をプランジャにより押し出す押出機構であって、
上記プランジャは、前進により装填物に接触し該装填物をシリンダ外に押し出す押出ヘッドと、シリンダ後方に突出していて押出ヘッドを前進させるように外力を加えられるプランジャテールと、押出ヘッドとプランジャテールとを連結しているプランジャ軸と、プランジャ軸に設けられてシリンダ内壁に接触して押出ヘッドのシリンダからの抜け落ちを防止する抜け落ち防止部と、プランジャテールに加えられる外部からの押し込み力が所定の大きさ以上になるまでプランジャをシリンダに対して静止させておく押し込み抵抗部とを備え、
上記抜け落ち防止部は、プランジャ軸の垂直方向に拡がる舌片状の薄板状部であり、
上記シリンダには、上記舌片状の薄板状部を通過させる溝が形成されており、
上記押し込み抵抗部は、上記抜け落ち防止部よりもプランジャテール側に位置し、プランジャ軸周囲に該軸の垂直方向に薄板状にシリンダ内径より大きく拡がっていて、シリンダのプランジャ挿入口周縁部外面に当接し、押出ヘッドが装填物を所定の大きさ以上の力で押し出すためプランジャテールにかかるプランジャをシリンダに押し込む力が該所定の大きさ以上になったときに破損することを特徴とする押出機構。
【請求項２】
請求項１において、
上記押し込み抵抗部は、プランジャ軸周囲に該軸の垂直方向に円板状にシリンダ内径より大きく拡がっていて、上記所定の大きさ以上の力がかかって破損した後のシリンダ内壁との摺動抵抗を低減するため外周部に欠損部を有していることを特徴とする押出機構。
【請求項３】
装填物がピアス針であり、ピアス針が装填されるシリンダとピアス針を止具に向かって押し出すための請求項１又は２のいずれかに記載の押出機構とを備えたピアッサー。
【発明の詳細な説明】
【０００１】
【発明の属する技術分野】
本発明は、シリンダ内の装填物を押し出すプランジャおよびピアッサーに関するものである。
【０００２】
【従来の技術】
シリンダ内に装填された物体を押し出すプランジャには、様々な種類のものがある。例えば、実開平４−８９０１４号公報には、ピアッサーに用いられるピアス針を押し出すプランジャについて記載されている。前記公報記載のプランジャには、プランジャの軸に軸径と略同じ幅の肉の薄い舌片が軸の直径方向に突設されている。この舌片の働きは二つあって、一つは、使用前にプランジャがシリンダ内部に入り込んでしまうのを防ぐストッパ的役割であり、もう一つは、該舌片がシリンダの端面との間で切断されるほどの大きな勢いになるまで、プランジャを動かさないでおいて、舌片が切断されたら瞬時にピアス針が耳たぶを貫くようにして穿孔の痛みを極力少なくするという働きである。
【０００３】
このように、ピアッサー等に用いられるプランジャでは、所定の大きさ以上の力で装填物を勢いよく押し出す必要があり、そのための機構が上記のように検討されてきた。
【０００４】
【発明が解決しようとする課題】
しかしながら、上述の実用新案公開公報に開示された技術では、プランジャの軸に突設された舌片は、プランジャがシリンダから抜け落ちることを防げなかった。また、プランジャを押してピアス針を押し出すときに、プランジャがシリンダ内で軸に対して垂直方向に動きやすくぐらつきやすいので、プランジャのシリンダ内への押し込みが安定して行えなかった。
【０００５】
本発明はこのような事情に鑑みてなされたものであり、その目的とするところは、プランジャのシリンダからの抜け落ちを防ぐとともに、所定の大きさ以上の力で装填物を安定して押し出すプランジャを提供することである。
【０００６】
【課題を解決するための手段】
上記の目的を達成するために、プランジャ軸に抜け落ち防止部と押し込み抵抗部とを備えたプランジャとした。
【０００７】
具体的には、請求項１にかかる発明は、シリンダ内の装填物を押し出すプランジャであって、
前進により装填物に接触し該装填物をシリンダ外に押し出す押出ヘッドと、シリンダ後方に突出していて押出ヘッドを前進させるように外力を加えられるプランジャテールと、押出ヘッドとプランジャテールとを連結しているプランジャ軸と、プランジャ軸に設けられてシリンダ内壁に接触して押出ヘッドのシリンダからの抜け落ちを防止する抜け落ち防止部と、プランジャテールに加えられる外部からの押し込み力が所定の大きさ以上になるまでプランジャをシリンダに対して静止させておく押し込み抵抗部とを備え、
上記抜け落ち防止部は、プランジャ軸の垂直方向に拡がる薄板状部であり、
上記押し込み抵抗部は、上記抜け落ち防止部よりもプランジャテール側に位置し、プランジャ軸周囲に該軸の垂直方向に薄板状にシリンダ内径より大きく拡がっていて、シリンダのプランジャ挿入口周縁部外面に当接し、押出ヘッドが装填物を所定の大きさ以上の力で押し出すためプランジャテールにかかるプランジャをシリンダに押し込む力が該所定の大きさ以上になったときに破損することを特徴とするプランジャである。
【０００８】
本発明の構成であれば、抜け落ち防止部を備えているので、最初にプランジャの押出ヘッドの部分をシリンダに挿入して装填物の押し出し準備を完了した状態において、押出ヘッドのシリンダからの抜け落ちを防ぐことができると同時に、シリンダ内壁に接触しているので、プランジャを押し込む際にプランジャがシリンダ内でぐらつくことも防止できる。
【０００９】
また、プランジャをシリンダに押し込む力が所定の大きさ以上になったときに破損する押し込み抵抗部も備えているので、装填物を所定の大きさ以上の力で押し出すことができる。
【００１０】
次に、請求項２に係る発明は、請求項１において、
上記押し込み抵抗部は、プランジャ軸周囲に該軸の垂直方向に円板状にシリンダ内径より大きく拡がっていて、上記所定の大きさ以上の力がかかって破損した後のシリンダ内壁との摺動抵抗を低減するため外周部に欠損部を有していることを特徴とするプランジャである。
【００１１】
本発明の構成であれば、押し込み抵抗部に欠損部があるため、破損後の押し込み抵抗部の破損部分が欠損部に集まってシリンダ内壁との摺動抵抗を低減できて、押し込みの力を減殺することなく装填物を押し出すことができる。また、簡単な構造であって製造しやすい。
【００１２】
次に、請求項３にかかる発明は、装填物がピアス針であり、ピアス針が装填されるシリンダとピアス針を止具に向かって押し出すための請求項１又は２のいずれかに記載のプランジャとを備えたピアッサーである。
【００１３】
ここでの止具とは、ピアス針の尖鋭部側にはめ込まれてピアス針を身体に固定する器具である。
【００１４】
本発明の構成であれば、本発明のピアッサーを用いて身体に穿孔するときに、穿孔時に生じる痛みが最小限で済む。
【００１５】
【発明の実施の形態】
以下、本発明の実施の形態を図面に基づいて説明する。
【００１６】
図１（ａ）は、第一の本体部１の正面図である。第一の本体部１は、卵の上部が斜めに欠けて窪んだような形をした第一のベース板５０と、該ベース板５０上に立ち上がっている形で第一のベース板５０と一体に設けられた各部とからなる。卵形の最上部であって斜めに欠けて窪んだ部分の上側には、ピアス針用カートリッジ６を装着するカートリッジ装着部１８が設けられている。５は、ピアス針を押し出すプランジャであり、ピアス針用カートリッジ６がシリンダである。第一のベース板５０の卵形の下側には、第二の本体部との連結に用いられる第一の回転軸１１と三つの孔１３と隔離円柱１９とが設けられている。第一の回転軸１１は、第一のベース板５０から立ち上がった径の小さい円柱である。隔離円柱１９は、第一のベース板５０から立ち上がった径の大きな円柱であって、第一の回転軸１１と同心である。三つの孔１３は隔離円柱１９の内側に周方向に等間隔で第一のベース板５０に開けられている。
【００１７】
それから、カートリッジ装着部１８と隔離円柱１９との間に第一の当て部３が設けられている。
【００１８】
また、平板を曲げて数字の２を裏返した形状としたリターンスプリング１０が、その数字の２の上部を隔離円柱１９に結合させて設けられている。リターンスプリング１０の数字の２の形状の下部は、第一のベース板５０の外側（図の左側）に突き出している。一方、図の右側の第一のベース板５０の周縁部には、第一の側部壁１５が第一のベース板５０から立ち上がって設けられている。第一の側部壁１５は、カートリッジ装着部１８から第一のベース板５０の周囲半周弱に渡って設けられている。
【００１９】
図１（ｂ）は、第二の本体部２の背面図である。第二の本体部２は、勾玉に類似の形をした第二のベース板６０と、該ベース板６０上に立ち上がっている形で第二のベース板６０に一体に設けられた各部とからなる。勾玉の尻尾状の部分（図の上方）の先端は、止具装着部９であって、止具８を装着している。勾玉の尻尾状部とは反対側の円形頭部には、第二の回転軸１２と三つの係合爪１４とが設けられている。第二の回転軸１２は、第二のベース板６０の円形頭部の中心部分に第二のベース板６０から立ち上がった円柱である。係合爪１４は、第二のベース板６０の周縁に近い部分から立ち上がっていて、先端に爪が形成されていて、三つの係合爪１４は第二の回転軸１２から等距離にあり、係合爪１４同士も等距離にある。
【００２０】
第二のベース板６０の周縁部の図における右側には、第二の側部壁１６が第二のベース板６０から立ち上がって設けられている。第二の側部壁１６は、止具装着部９から第二のベース板６０の周囲半周弱に渡って設けられている。
【００２１】
それから、止具装着部９と第二の回転軸１２との間には、リターンスプリング規制壁１７が設けられている。リターンスプリング規制壁１７は、止具装着部９のある部分と第二の回転軸１２のある部分とを分割するように、第二の側部壁１６からそれに向かい合う第二のベース板６０の反対側の周縁まで、第二のベース板６０から立ち上がって設けられている。スプリング規制壁１７の図の左側の端には、第二の当て部４が設けられ、第二のベース板６０から外側に突き出している。
【００２２】
次に、二つの本体部の連結及び働きについて説明する。
【００２３】
第二の本体部２は、図１（ｂ）の状態から裏返されて、図１（ａ）に示す第一の本体部１と連結される。連結は、第二の回転軸１２である円柱の内側に第一の回転軸１１である円柱がはめ込まれ、第二の本体部２の係合爪１４が、第一の本体部１の孔１３に係合されて完了する。図２に図１（ｂ）のＡ−Ａ線断面図を示す。係合爪１４の爪部２０が、第一の本体部１の孔１３に係合される。また、係合爪１４の幅より孔１３の隔離円柱１９の内周に沿った長さの方が長いので、係合爪１４が孔１３の中を該長さ方向に移動することにより、第一の本体部１と第二の本体部２とは、二つの回転軸１１、１２を中心にして回転移動できる。ここで、隔離円柱１９により、第一の本体部１と第二の本体部２とは、隔離円柱１９の高さ分の距離をもって保持される。
【００２４】
図３は、二つの本体部を連結させたもので、ピアス針用カートリッジ６と止具８とが離れている状態のピアッサーの図である。リターンスプリング１０の折れ曲がり部が第二の本体部２の第二の側部壁１６と干渉しあっているので、カートリッジ６と止具８とを接近させるよう二つの本体部を近づけて閉じようとする力をかけない限り、カートリッジ６と止具８とは近づかない。また、リターンスプリング１０の先端とリターンスプリング規制壁１７とが干渉しあっているので、カートリッジ６と止具８とをより離れさせるよう二つの本体部を開く方向の力をかけない限り、この状態が保持される。
【００２５】
カートリッジ６と止具８とが離れた状態のピアッサーを手のひらに載せて、第一の側部壁１５と第二の側部壁１６とに力をかけると、二つの本体部は回転軸１１を中心に回転して、カートリッジ６と止具８とが接近するように閉じていく。
閉じ終わって穿孔準備が完了している状態が、図４である。
【００２６】
穿孔準備完了状態では、第一の当て部３に第二の当て部４が嵌合して、これらがストッパーとなっていて、これ以上はカートリッジ６と止具８が接近しないようにしている。また、この状態では、リターンスプリング１０が第二の側部壁１６に押されて変形している。二つの本体部を閉じようとする力をかけ続けないと、この状態を保持することはできない。
【００２７】
次にプランジャについて説明する。
【００２８】
図５に、プランジャの斜視図を示す。プランジャ５の押出側先端は、円柱形の押出ヘッド３１であり、径はシリンダであるピアス針用カートリッジの内径より少し小さい。押出ヘッド３１の先端面は、安定してピアス針を押し出せるように窪んでいて、ピアス針の装飾ヘッドとの接触面積を大きくしている。また、押出ヘッド３１の円柱形の縁の部分は、角を取ってアールをつけてある。プランジャ５における押出ヘッド３１の反対側は、押出ヘッド３１を前進させるように外部からの押し込む力を加えられるプランジャテール３２である。プランジャテール３２は、軸３３ｂの後端に形成されていて、軸３３ｂ垂直方向に円形に拡がっている。プランジャテール３２は、押出ヘッド３１がシリンダに挿入されると、常にシリンダ後端に突出した状態となる。外部からの押し込み力は、本実施形態の場合、人の指による押し込み力であるので、プランジャテール３２が指の腹に安定して当接してプランジャ５を押しやすいように、その径は５〜２０ｍｍぐらいが好ましい。また、指と当接する外面には、滑り止めの突起等を設けておくことが好ましい。
【００２９】
押出ヘッド３１の後方には、舌片状の抜け落ち防止部３４が設けられている。
抜け落ち防止部３４は、軸３３ａの周囲に設けられていて、軸３３ａ径よりも少し広幅で軸３３ａの垂直方向に拡がっている薄板状部である。抜け落ち防止部３４の長径は、カートリッジ内径より少し大きい。それにより、プランジャ５をカートリッジに挿入したときに、抜け落ち防止部３４の先端がカートリッジ内壁に接触して、その摩擦により押出ヘッド３１がカートリッジから抜け落ちてこないようになっている。
【００３０】
抜け落ち防止部３４よりもプランジャテール３２に近い側に、略円板状の押し込み抵抗部３５が設けられている。押し込み抵抗部３５は、軸３３ａ周囲に軸３３ａに垂直な方向に円形の薄板状に拡がっていて、その径はシリンダであるカートリッジの内径よりも大きい。押し込み抵抗部３５の一部には、外周部から軸３３ａまで達している欠損部３６が設けられている。欠損部３６は、軸３３ａの径の約３／５の幅で押し込み抵抗部３５を切り欠いた部分である。欠損部３６の幅は、軸３３ａの径の１／２〜１倍であることが好ましい。
【００３１】
図７（Ａ）はシリンダであるピアス針用カートリッジ６の断面図であり、図７（Ｂ）はピアス針用カートリッジ６をプランジャの挿入口側から見た図である。
カートリッジ６下部は、ピアッサーに装着するためのＴ字型の挿入部６ａであって、対応するＴ字型の溝が第一の本体部のカートリッジ装着部に形成されている。また、カートリッジ６の円筒部分の筒内には、上下にふたつの溝６ｂを設けてプランジャの抜け落ち防止部を挿入しやすくしている。カートリッジ６の内径は、円筒形の内壁４１部分の径のことである。４２は、ピアス針を支持する爪であり、６ｃは、脆弱部である。また、４３は挿入口周縁部外面である。
【００３２】
図８は、ピアス針用カートリッジにプランジャを挿入した図である。ピアス針７は、針部分を爪４２に支持されて、装飾ヘッド部分がプランジャ５の押出ヘッド３１に接するようにカートリッジ６に装填される。一方プランジャ５は、押出ヘッド３１と抜け落ち防止部３４がカートリッジ６内に挿入される。抜け落ち防止部３４の長径は、カートリッジ６内径より少し大きいので、挿入するときには溝６ｂの部分を通るようにして、図８の状態に挿入したらプランジャ５の軸を回転させて、抜け落ち防止部３４の先端を内壁４１に接触させて、プランジャ５が抜け落ちないようにすると挿入しやすくて好ましい。また、押し込み抵抗部３５は、カートリッジ６の挿入口周縁部外面４３に当接している。
【００３３】
この状態から、プランジャ５を前進させるようプランジャテール３２を押すと、押す力が所定の大きさの力に達する前には、押し込み抵抗部３５が挿入口周縁部外面４３に当接しているため、この状態のまま静止している。押す力が所定の大きさ以上になると、押し込み抵抗部３５が折れて、プランジャ５がカートリッジ６に押し込まれ、ピアス針７がカートリッジ６から押し出される。押し込み抵抗部３５は、円板状であるが欠損部を有しているので、押し込み抵抗部３５が折れて破損したときには、欠損部の方に押し込み抵抗部３５の折れて破損した部分が移動する。ここで、押し込み抵抗部３５に欠損部がないと仮定すると、破損した部分とカートリッジ内壁４１との摩擦力が大きく、ピアス針７の押出力が摩擦力のために減殺され、穿孔の際の痛みが大きくなる。一方、本実施形態のように欠損部がある場合は、破損した部分が欠損部の方に移動するので、破損部分とカートリッジ内壁４１との摩擦力が小さくなり、ピアス針７を押し出す力が十分に大きく、穿孔の際の痛みは小さい。
【００３４】
プランジャ軸が、押出ヘッド３１側では細く、プランジャテール３２側では太くなっている。プランジャ軸が押出ヘッド３１側で細いのは、押し込み抵抗部３５を軸から大きく拡がった形状とすることで、押し込み抵抗部３５が折れた後、カートリッジ内壁４１との摺動抵抗を小さくすることができるからである。また、プランジャ軸がプランジャテール３２側で太いのは、強い押し込み力がかかったときに、曲がったり折れたりしないようにするためである。
【００３５】
ピアス針７が押し出されると、脆弱部６ｃが折れて爪４２が開き、ピアス針７はカートリッジ６の外に出る。
【００３６】
次に、ピアス針と止具について説明する。
【００３７】
図６にピアス針７と止具８を示す。ピアス針７は、ピアス針用カートリッジの中に装填されている。プランジャにより、装飾ヘッド７ａが押されて、尖鋭部７ｃが身体の一部を刺し貫いて穿孔する。そして、身体の反対側に突き出したピアス針７の尖鋭部７ｃが止具８の孔８ｃに挿入され、挟持部８ｂを押し広げる。それからピアス針７の小径部７ｄが、止具８の挟持部８ｂに挟まれてピアス針７が止具８に固定される。なお、７ｂは、身体を貫通する針部であり、８ａは、身体に接する止具８の前板である。なお、このピアス針７と止具８は、一つの例であって、ピアス針自身の形状や装飾ヘッドの形状、止具の形状等はこの例に限定されない。また、止具を樹脂製としてもよい。
【００３８】
本実施の形態は、一つの例であって、本発明は本例に限定されない。シリンダやプランジャの形状、抜け落ち防止部や押し込み抵抗部等の各部分の形状も本実施形態に限定されない。例えば、抜け落ち防止部の形状は、円形、楕円形、長方形等であっても構わない。また、欠損部も押し込み抵抗部を平行に切り欠いて形成するのみではなく、軸から放射状に拡がる切り込みであったり、逆に軸に近い方が拡がっている切り込みであってもよい。また、２箇所以上欠損部を設けていてもよい。抜け落ち防止部も２箇所以上設けてもよい。
【００３９】
【発明の効果】
本発明は、以上説明したような形態で実施され、以下に述べる効果を奏する。
【００４０】
プランジャ軸から垂直に拡がった抜け落ち防止部と押し込み抵抗部とがあるので、プランジャのシリンダからの抜け落ちを防止できるとともに、所定の大きさ以上の力で装填物を押し出すことができ、安定かつ大きな力での押出ができる。
また、構造が簡単で製造も容易である。
【図面の簡単な説明】
【図１】（ａ）第一の本体部の正面図、（ｂ）第二の本体部の背面図である。
【図２】図１（ｂ）のＡ−Ａ線断面図である。
【図３】ピアス針用カートリッジと止具とが離れた状態のピアッサーの図である。
【図４】ピアス針用カートリッジと止具とが接近して穿孔準備完了状態のピアッサーの図である。
【図５】プランジャの斜視図である。
【図６】ピアス針と止具の図である。
【図７】（Ａ）カートリッジの破砕断面図、（Ｂ）カートリッジの挿入口側から見た図である。
【図８】カートリッジにプランジャを挿入した図である。
【符号の説明】
１    第一の本体部
２    第二の本体部
３    第一の当て部
４    第二の当て部
５    プランジャ
６    ピアス針用カートリッジ
７    ピアス針
８    止具
９    止具装着部
１０  リターンスプリング
１１  第一の回転軸
１２  第二の回転軸
１３  孔
１４  係合爪
１５  第一の側部壁
１６  第二の側部壁
１７  リターンスプリング規制壁
１８  カートリッジ装着部
１９  隔離円柱
２０  爪部
３１  押出ヘッド
３２  プランジャテール
３３ａ軸
３３ｂ軸
３４  抜け落ち防止部
３５  押し込み抵抗部
３６  欠損部
４１  内壁
４２  爪
４３  プランジャ挿入口周縁部外面
５０  第一のベース板
６０  第二のベース板
【図１】
0004576063.tif 000002
【図２】
0004576063.tif 000003
【図３】
0004576063.tif 000004
【図４】
0004576063.tif 000005
【図５】
0004576063.tif 000006
【図６】
0004576063.tif 000007
【図７】
0004576063.tif 000008
【図８】
0004576063.tif 000009